(57)【要約】【課題】不必要な場所からの光漏れを防止し、外観性に優れた電気掃除機の提供。【解決手段】電動送風機と、吸引した塵埃を捕集する集塵部と、集塵部を覆い可視性を有する材料で形成された集塵蓋１３と、集塵部内の塵埃の廃棄やフィルターの清掃等を促す表示を行う表示手段２１と、外郭を形成すると共に集塵蓋１３の回動軸１５を受ける軸受孔１４を表示手段２１とほぼ同一高さの位置に形成した上ケース９とを備え、表示手段２１を構成する発光体２３とそれを実装した表示基板２４を、上ケース９内で、かつ左右の軸受孔１４間に配置し、軸受孔１４と発光体２３の間に、光を透過しない材料で形成した遮光部２７を設けたもので、表示のために発光体２３が光っても、その光は、遮光部２７で遮られるので、軸受孔１４などの不必要な場所から光が漏れるのを防止でき、集塵蓋１３を可視性の材料で形成でき、外観性を向上させることができる。【選択図】図３
2013048667.tif 000002
【特許請求の範囲】
【請求項１】
吸引風を発する電動送風機と、吸引した塵埃を捕集する集塵部と、前記集塵部を覆い可視性を有する材料で形成された集塵蓋と、前記集塵部内の塵埃の廃棄やフィルターの清掃等を促す表示を行う表示手段と、外郭を形成すると共に前記集塵蓋の回動軸を受ける軸受孔を前記表示手段とほぼ同一高さの位置に形成した上ケースとを備え、前記表示手段を構成する発光体とその発光体を実装した表示基板を、前記上ケース内で、かつ左右の前記軸受孔間に配置し、前記軸受孔と前記発光体の間に、光を透過しない材料にて形成した遮光部を設けた電気掃除機。
【請求項２】
遮光部を、表示基板を保持する基板保持体に一体に形成すると共に、前記遮光部の上端を上ケースの内面まで延設した請求項１に記載の電気掃除機。
【発明の詳細な説明】
【技術分野】
【０００１】
本発明は、電気掃除機に関するもので、特に、集塵部内の塵埃の廃棄やフィルターの清掃を促す表示を行う表示手段を備えた電気掃除機に関するものである。
【背景技術】
【０００２】
従来より、この種の表示手段を備えた電気掃除機が良く知られており、一般に、上記表示手段は、本体ケース（上ケース）に開口部を形成して取り付けられ、開口部にはレンズが装着されるように構成されている。
【０００３】
また、別の構成として、表示手段を掃除機本体の中央部に設け、表示用のＬＥＤ（発光体）を備えた基板を基板取付部に保持し、その上方にＬＥＤホルダと表示部を形成する上ケースを備え、上ケースには、ＬＥＤ（発光体）とほぼ同等の高さ位置に、集塵ケースを覆う集塵蓋の軸部を受ける軸受孔を形成する構成としていた（例えば、特許文献１参照）。
【先行技術文献】
【特許文献】
【０００４】
【特許文献１】特開２００７−５４３８０号公報
【発明の概要】
【発明が解決しようとする課題】
【０００５】
しかしながら、前記特許文献１に記載されたような従来の電気掃除機の構成では、集塵蓋を可視性を有する材料にて形成すると、上ケースの軸受孔がＬＥＤ（発光体）とほぼ同一の高さ位置に形成されている為、上ケースの表示部とＬＥＤホルダの間から漏れたＬＥＤ（発光体）の光が軸受孔に届き、透明の集塵蓋を透過することで、外観に見え品位を損なってしまうという課題を有していた。
【０００６】
本発明は、前記従来の課題を解決するもので、透明部品や複数の発光体を使用しても、不必要な場所からの光漏れを防止できる電気掃除機を提供することを目的とする。
【課題を解決するための手段】
【０００７】
前記従来の課題を解決するために、本発明の電気掃除機は、吸引風を発する電動送風機と、吸引した塵埃を捕集する集塵部と、前記集塵部を覆い可視性を有する材料で形成された集塵蓋と、前記集塵部内の塵埃の廃棄やフィルターの清掃等を促す表示を行う表示手段と、外郭を形成すると共に前記集塵蓋の回動軸を受ける軸受孔を前記表示手段とほぼ同一高さの位置に形成した上ケースとを備え、前記表示手段を構成する発光体とその発光体を実装した表示基板を、前記上ケース内で、かつ左右の前記軸受孔間に配置し、前記軸受孔と前記発光体の間に、光を透過しない材料にて形成した遮光部を設けたもので、表示手段で表示する為に発光体が光っても、上ケース内部では、前記遮光部を、前記上ケースに形成した前記軸受孔と前記発光体の間に形成すると共に、光を透過しない材料にて成形している為、光は前記遮光部で遮られ、前記軸受孔などの不必要な場所から光が漏れるのを防止でき、前記集塵蓋を可視性の有する材料で形成でき、外観性を向上させることができると共に品位を維持することができる。
【発明の効果】
【０００８】
本発明の電気掃除機は、透明部品や複数の発光体を使用しても、不必要な場所からの光漏れを防止できる。
【図面の簡単な説明】
【０００９】
【図１】本発明の実施の形態１における電気掃除機の掃除機本体の全体斜視図
【図２】同掃除機本体の中央断面図
【図３】同掃除機本体の要部断面図
【図４】同掃除機本体の集塵蓋を外した状態の全体斜視図
【図５】同掃除機本体の集塵蓋及び集塵部を外した状態の部分断面図
【図６】同集塵蓋の部分斜視図
【図７】同掃除機本体の表示手段の全体斜視図
【図８】同表示手段の分解斜視図
【発明を実施するための形態】
【００１０】
第１の発明は、吸引風を発する電動送風機と、吸引した塵埃を捕集する集塵部と、前記集塵部を覆い可視性を有する材料で形成された集塵蓋と、前記集塵部内の塵埃の廃棄やフィルターの清掃等を促す表示を行う表示手段と、外郭を形成すると共に前記集塵蓋の回動軸を受ける軸受孔を前記表示手段とほぼ同一高さの位置に形成した上ケースとを備え、前記表示手段を構成する発光体とその発光体を実装した表示基板を、前記上ケース内で、かつ左右の前記軸受孔間に配置し、前記軸受孔と前記発光体の間に、光を透過しない材料にて形成した遮光部を設けたもので、表示手段で表示する為に発光体が光っても、上ケース内部では、前記遮光部を、前記上ケースに形成した前記軸受孔と前記発光体の間に形成すると共に、光を透過しない材料にて成形している為、光は前記遮光部で遮られ、前記軸受孔などの不必要な場所から光が漏れるのを防止でき、前記集塵蓋を可視性の有する材料で形成でき、外観性を向上させることができると共に品位を維持することができる。
【００１１】
第２の発明は、特に、第１の発明の遮光部を、表示基板を保持する基板保持体に一体に形成すると共に、前記遮光部の上端を上ケースの内面まで延設したもので、上記第１の発明による効果に加え、遮光部の上端が上ケースの内面まで延設されているので、発光体の光が、遮光部の上端と上ケースの内面との間から外に洩れることが無く、外観性をさらに向上させることができる。
【００１２】
以下、本発明の実施の形態について、図面を参照しながら説明する。なお、この実施の形態によってこの発明が限定されるものではない。
【００１３】
（実施の形態１）
本発明の第１の実施の形態における電気掃除機について、図１〜８を用いて説明する。図１は、本実施の形態における電気掃除機の掃除機本体の全体斜視図、図２は、同掃除機本体の中央断面図、図３は、同掃除機本体の要部断面図、図４は、同掃除機本体の集塵蓋を外した状態の全体斜視図、図５は、同掃除機本体の集塵蓋及び集塵部を外した状態の部分断面図、図６は、同集塵蓋の部分斜視図、図７は、同掃除機本体の表示手段の全体斜視図、図８は、同表示手段の分解斜視図である。
【００１４】
図１〜８において、本実施の形態における電気掃除機の掃除機本体１の後部には、吸引風を発する電動送風機２を内蔵した電動送風機室３と、電源コード巻取り装置（図示せず）が配され、前部には、着脱自在で塵埃を分離捕集する集塵部４を収納する集塵収納部５が配され、後方下部の両側に１対の走行用の車輪６が回転自在に取着され、底面前部には、同じく走行用のキャスター７が取着されている。掃除機本体１の前部には、ホース（図示せず）の一端に設けた接続パイプ（図示せず）が着脱自在に接続される吸気口８が設けられている。
【００１５】
掃除機本体１は、外殻を形成する上ケース９及び下ケース１０と、略Ｕ字状のカバー部
１１からなり、前記掃除機本体１を持ち運ぶ際に使用する把手部１２が、前記上ケース９に取り付けられており、前記集塵部４を覆う集塵蓋１３が可視性を有する材料にて形成されると共に、前記上ケース９に形成した軸受孔１４に前記集塵蓋１３に形成した回動軸１５を嵌め込み、回動自在の構成としている。
【００１６】
前記電動送風機２の前部は、弾性材料からなるサポート前１６で、後部は、同じく弾性材料からなるサポート後（図示せず）でそれぞれ支持され、前記電動送風機２から発生する騒音を低減する為のモーターカバー１７と、モーターケース１８で挟持されている。前記電動送風機２を通過した空気は、モーターケース１８の下部に形成した排気通路１９を通り、前記掃除機本体１の後方に形成した排気出口２０から外気へ排出される構成としている。
【００１７】
また、前記掃除機本体１の運転状態などを表示したり、前記集塵部４内の塵埃の廃棄やフィルターの清掃を促す表示を行う表示手段２１を、前記上ケース９の内部で左右の前記軸受孔１４の間に設け、前記上ケース９に形成した開口部２２から使用者が見ることができるように配置している。
【００１８】
前記表示手段２１は、複数個の発光体２３と、前記発光体２３を実装した表示基板２４と、前記表示基板２４を保持する基板保持体２５と、前記基板保持体２５の上方を覆い前記発光体２３の光を拡散させると共に表示用の模様を形成し可視性を有する材料にて成形された表示カバー体２６により構成されている。
【００１９】
さらに、前記軸受孔１４は、前記表示手段２１とほぼ同一高さの位置に形成され、前記軸受孔１４と前記発光体２３の間に光を透過しない材料にて形成した遮光部２７を、前記基板保持体２５と一体に形成すると共に、前記遮光部２７の上端を、前記上ケース９の内面に当接する位置まで延設している。
【００２０】
また、前記集塵部４を構成し吸引した塵埃の細塵成分を捕集するフィルター２８に付着した塵埃を振動などにより落とす除塵装置２９を備え、前記除塵装置２９は、電源コード（図示せず）の引き出し又は巻き取りに連動するよう複数個のギア部３０と連結して構成されている。前記ギア部３０は、前記基板保持体２５に一体に形成されたギア用軸部３１に回動自在に取り付けてある。
【００２１】
以上のように構成された本実施の形態における電気掃除機について、以下その動作、作用を説明する。
【００２２】
前記掃除機本体１の運転状態などを表示したり、前記集塵部４内の塵埃の廃棄やフィルター２８の清掃を促す為に、前記表示基板２４に実装された発光体２３が光ると、その光は、前記表示カバー体２６を介して前記開口部２２から前記掃除機本体１の外部へ届き、使用者の目に入る。
【００２３】
この時、前記上ケース９内部では、前記表示カバー体２６が可視性を有する材料にて成形されている為、前記発光体２３の光の一部が前記表示カバー体２６を透過するが、前記基板保持体２５に一体に形成した前記遮光部２７を、前記上ケース９に形成した前記軸受孔１４と前記表示カバー体２６の間に形成すると共に、光を透過しない材料にて成形している為、前記表示カバー体２６を通過した光は、前記遮光部２７で遮られ、前記軸受孔１４などの不必要な場所から光が漏れるのを防止でき、前記集塵蓋１３を、可視性の有する材料で形成でき、外観性を向上させることができると共に品位を維持することができる。
【００２４】
また、複数個の発光体２３を使用すると、前記発光体２３と前記軸受孔１４との距離が
近くなるが、同様に光が漏れるのを防止できるので、表示方法のバリエーションが増え、使用性を向上させることができる。
【００２５】
なお、集塵部４について、本実施の形態では、サイクロン式の集塵装置を用いたが、紙袋等の袋状体を用いたものにおいても、不必要な場所からの光漏れを防止できるという効果が同様に得られるものである。
【産業上の利用可能性】
【００２６】
以上のように、本発明にかかる電気掃除機は、透明部品や複数の発光体を使用しても、不必要な場所からの光漏れを防止できるので、家庭用や業務用の電気掃除機等の用途にも適用できる。
【符号の説明】
【００２７】
１  掃除機本体
２  電動送風機
４  集塵部
９  上ケース
１３  集塵蓋
１４  軸受孔
１５  回動軸
２１  表示手段
２３  発光体
２４  表示基板
２５  基板保持体
２７  遮光部
【図１】
2013048667.tif 000003
【図２】
2013048667.tif 000004
【図３】
2013048667.tif 000005
【図４】
2013048667.tif 000006
【図５】
2013048667.tif 000007
【図６】
2013048667.tif 000008
【図７】
2013048667.tif 000009
【図８】
2013048667.tif 000010